(57)【要約】【課題】ダイレクトコピーモードを実行中に割り込み処理が指示された場合でも、生産性の低下や機能制限を招くことなく割り込み処理を行え、しかも割り込み処理からの復帰時に原稿戻しが発生しない画像形成装置を提供する。【解決手段】画像入力部３からページメモリ１４に記憶された画像データを画像出力部４に転送して用紙に印刷出力する第１のコピーモードと、画像入力部３からページメモリ１４を経由してハードディスク１３に蓄積された画像データを画像出力部４に転送して用紙に印刷出力する第２のコピーモードを選択的に実行可能な画像形成装置において、第１のコピーモードを実行中に割り込み処理が指示された場合に、ページメモリ１４に記憶してある画像データをハードディスク１３に退避してから割り込み処理に遷移し、割り込み処理から復帰するときは、ハードディスク１３に退避してある画像データを用いて第１のコピーモードの処理を再開する。【選択図】図１
2007088823.tif 000002
【特許請求の範囲】
【請求項１】
原稿から読み取った画像データを入力する画像入力手段と、
前記画像入力手段から入力された前記画像データを記憶する画像メモリと、
前記画像入力手段から入力された前記画像データを蓄積する画像蓄積手段と、
前記画像データを記録媒体に印刷出力する画像出力手段と、
前記画像メモリに記憶された前記画像データを前記画像蓄積手段に蓄積することなく前記画像出力手段に転送して前記記録媒体に印刷出力する第１のコピーモードと、前記画像蓄積手段に蓄積された前記画像データを前記画像出力手段に転送して前記記録媒体に印刷出力する第２のコピーモードを選択的に実行可能な制御手段とを備え、
前記制御手段は、前記第１のコピーモードを実行中に割り込み処理が指示された場合に、前記画像メモリに記憶してある前記画像データを前記画像蓄積手段に退避してから前記割り込み処理に遷移し、前記割り込み処理から復帰するときは、前記画像蓄積手段に退避してある前記画像データを用いて前記第１のコピーモードの処理を再開する
ことを特徴とする画像形成装置。
【請求項２】
前記制御手段は、前記割り込み処理から復帰する際に、前記画像蓄積手段に退避してある前記画像データを前記画像メモリに戻してから前記画像出力手段に転送することにより、前記第１のコピーモードの処理を再開する
ことを特徴とする請求項１記載の画像形成装置。
【請求項３】
前記制御手段は、前記割り込み処理に遷移する前に、前記画像メモリに記憶してある前記画像データを画像処理手段で圧縮して前記画像蓄積手段に退避し、前記割り込み処理から復帰するときは、前記画像蓄積手段に退避してある前記画像データを前記画像処理手段で伸長して前記画像出力手段に転送する前記第２のコピーモードで処理を再開する
ことを特徴とする請求項１記載の画像形成装置。
【請求項４】
原稿から読み取った画像データを入力する画像入力手段と、前記画像入力手段から入力された前記画像データを記憶する画像メモリと、前記画像入力手段から入力された前記画像データを蓄積する画像蓄積手段と、前記画像データを記録媒体に印刷出力する画像出力手段とを備え、前記画像メモリに記憶された前記画像データを前記画像蓄積手段に蓄積することなく前記画像出力手段に転送して前記記録媒体に印刷出力する第１のコピーモードと、前記画像蓄積手段に蓄積された前記画像データを前記画像出力手段に転送して前記記録媒体に印刷出力する第２のコピーモードを選択的に実行可能な画像形成装置を用いた画像形成方法であって、
前記第１のコピーモードを実行中に割り込み処理が指示された場合に、前記画像メモリに記憶してある前記画像データを前記画像蓄積手段に退避してから前記割り込み処理に遷移し、前記割り込み処理から復帰するときは、前記画像蓄積手段に退避してある前記画像データを用いて前記第１のコピーモードの処理を再開する
ことを特徴とする画像形成方法。
【請求項５】
前記割り込み処理から復帰する際に、前記画像蓄積手段に退避してある前記画像データを前記画像メモリに戻してから前記画像出力手段に転送することにより、前記第１のコピーモードの処理を再開する
ことを特徴とする請求項４記載の画像形成方法。
【請求項６】
前記割り込み処理に遷移する前に、前記画像メモリに記憶してある前記画像データを画像処理手段で圧縮して前記画像蓄積手段に退避し、前記割り込み処理から復帰するときは、前記画像蓄積手段に退避してある前記画像データを前記画像処理手段で伸長して前記画像出力手段に転送する前記第２のコピーモードで処理を再開する
ことを特徴とする請求項４記載の画像形成方法。
【発明の詳細な説明】
【技術分野】
【０００１】
本発明は、デジタル複写機やデジタル複合機などに適用して好適な画像形成装置及び画像形成方法に関する。
【背景技術】
【０００２】
デジタル複写機やデジタル複合機などの画像形成装置の中には、原稿から読み取った画像データを一時的に記憶する画像メモリと、ハードディスク(HDD;Hard Disk Drive)に代表される画像蓄積手段とを備えたものがある。この種の画像形成装置は、原稿から読み取った画像データを用紙等の記録媒体に印刷出力する際のコピーモードとして、主に２つのコピーモードを有している。
【０００３】
第１のコピーモードは、原稿から読み取った画像データを画像メモリに蓄積し、この画像メモリから直接画像データを読み出して記録媒体に印刷出力するコピーモード（以下、「ダイレクトコピーモード」とも記す）である。第２のコピーモードは、原稿から読み取った画像データを圧縮して画像蓄積手段に蓄積した後、その画像蓄積手段から読み出した画像データを伸長して記録媒体に印刷出力するコピーモード（以下、「蓄積コピーモード」とも記す）である。ダイレクトコピーモードに基づくコピー処理（ダイレクトコピー）では画像蓄積手段を使用しないが、蓄積コピーモードに基づくコピー処理（蓄積コピー）では原稿から読み取った画像データを画像メモリに記憶し、そこから画像データを読み出して圧縮した後、圧縮済みの画像データを画像蓄積手段に蓄積するため、画像メモリと画像蓄積手段の両方を使用することになる。
【０００４】
こうした２つのコピーモードのうち、ダイレクトコピーモードは、原稿から読み取った画像データを画像蓄積手段に蓄積することなく直ちに記録媒体に印刷出力するため、原稿の画像を素早くコピーしたい場合に適したものとなる。これに対して、蓄積コピーモードは、原稿から読み取った画像データを画像蓄積手段に蓄積してから記録媒体に印刷出力するため、例えば、画像形成装置の電子ソート機能を利用して、複数枚の原稿から読み取った画像データをページ順に並べて複数部コピーするような場合に適したものとなる。
【０００５】
また、従来の画像形成装置には割り込み処理機能を備えたものがある。割り込み処理機能とは、任意のコピーモードを実行している最中に、ユーザが操作パネルの割り込みボタン等を押すなどして割り込み処理を指示した場合に、現在実行中のコピーモードの処理（ダイレクトコピー又は蓄積コピー）を一時中断して割り込み処理の動作モードに遷移する機能である。
【０００６】
蓄積コピーモードを実行中（蓄積コピー中）に割り込み処理が指示された場合は、蓄積コピーモードで印刷出力すべき画像データが画像蓄積手段に蓄積されているため、割り込み処理から復帰するときは、画像蓄積手段に蓄積してある画像データを用いて蓄積コピーモードの処理を再開することができる。これに対して、ダイレクトコピーモードを実行中（ダイレクトコピー中）に割り込み処理が指示された場合は、ダイレクトコピーモードで印刷出力すべき画像データが画像メモリに記憶されているため、画像メモリを使用して割り込み処理を行ったときに、それに先立ってダイレクトコピー用に記憶されていた画像データが画像メモリから消去されてしまう。したがって、ダイレクトコピーモードを実行中に割り込み処理が指示された場合は、割り込み処理から復帰するときに、再度、ダイレクトコピー用の原稿をセットし直して画像の読み取りを行う、所謂「原稿戻し」の作業が必要となる。
【０００７】
こうした原稿戻しを回避するには、ダイレクトコピーモードの実行中は割り込み処理を禁止する方法が考えられるが、この方法ではユーザの利便性が低下してしまう。また、他の方法として、割り込み処理の指示があったときに、その時点で実行中のコピー処理（ダイレクトコピーモードに係る処理）を全て終了してから割り込み処理に遷移する方法も考えられるが、この方法では割り込み処理に遷移するまでの待ち時間が長くなってしまう。
【０００８】
そこで、下記特許文献１には、画像データ記憶用のページメモリの領域を複数に区分して、ある領域に割り込み処理前の画像データを記憶保持しつつ、別の領域を用いて割り込み処理を行う技術が記載されている。この技術によれば、ダイレクトコピーモードを実行中に割り込み処理が指示された場合に、割り込み処理への遷移を迅速に行うことができる。また、割り込み処理が復帰するときに、ページメモリの一部の領域に記憶しておいた画像データを用いてダイレクトコピーモードの処理を再開することができる。このため、原稿戻しを行う必要がない。
【０００９】
【特許文献１】特開平１１−３３１５２５号公報
【発明の開示】
【発明が解決しようとする課題】
【００１０】
しかしながら、上記従来の技術においては、割り込み処理でコピー（割り込みコピー）を行うときに、ページメモリの全ての領域を使用することができないため、生産性の低下や機能制限が発生してしまう。
【００１１】
生産性に関しては、例えば、ページメモリの全領域で２ページ分（原稿２枚分）の画像データを記憶できる場合でも、そのうちの１ページ分の領域が割り込み復帰のために使用されるため、残り１ページ分の領域しか割り込み処理に使用できなくなる。このため、割り込み処理では、１ページ分の画像データをページメモリに記憶する処理と、当該１ページ分の画像データをページメモリから読み出す処理を交互に繰り返す必要がある。これに対して、ページメモリの全領域（２ページ分の領域）を使用できる状況では、ページメモリに画像データを記憶する処理と、ページメモリから画像データを読み出す処理を並行して行うことができる。したがって、１ページ分の領域しか使えない状況では生産性が大幅に低下してしまう。
【００１２】
機能制限に関しては、例えば、Ｎ枚の原稿から読み取ったＮページ分の画像データを１枚の記録媒体に並べて印刷出力する「Ｎアップ」機能を利用する場合に、ページメモリの全領域を使用すればＮ＝４で処理できるものが、ページメモリの全領域を使用できない場合はＮ＝２でしか処理できなくなるなどの機能制限が生じる。
【００１３】
本発明は、上記課題を解決するためになされたもので、その目的とするところは、ダイレクトコピーモードを実行中に割り込み処理が指示された場合でも、生産性の低下や機能制限を招くことなく割り込み処理を行うことができ、しかも割り込み処理から復帰するときに原稿戻しを行う必要がない画像形成装置及び画像形成方法を提供することにある。
【課題を解決するための手段】
【００１４】
本発明に係る画像形成装置は、原稿から読み取った画像データを入力する画像入力手段と、この画像入力手段から入力された画像データを記憶する画像メモリと、画像入力手段から入力された画像データを蓄積する画像蓄積手段と、画像データを記録媒体に印刷出力する画像出力手段と、画像メモリに記憶された画像データを画像蓄積手段に蓄積することなく画像出力手段に転送して記録媒体に印刷出力する第１のコピーモードと、画像蓄積手段に蓄積された画像データを画像出力手段に転送して記録媒体に印刷出力する第２のコピーモードを選択的に実行可能な制御手段とを備えるもので、制御手段は、第１のコピーモードを実行中に割り込み処理が指示された場合に、画像メモリに記憶してある画像データを画像蓄積手段に退避してから割り込み処理に遷移し、割り込み処理から復帰するときは、画像蓄積手段に退避してある画像データを用いて第１のコピーモードの処理を再開するものである。
【００１５】
本発明に係る画像形成方法は、原稿から読み取った画像データを入力する画像入力手段と、この画像入力手段から入力された画像データを記憶する画像メモリと、画像入力手段から入力された画像データを蓄積する画像蓄積手段と、画像データを記録媒体に印刷出力する画像出力手段とを備え、画像メモリに記憶された画像データを画像蓄積手段に蓄積することなく画像出力手段に転送して記録媒体に印刷出力する第１のコピーモードと、画像蓄積手段に蓄積された画像データを画像出力手段に転送して記録媒体に印刷出力する第２のコピーモードを選択的に実行可能な画像形成装置を用いた画像形成方法であって、第１のコピーモードを実行中に割り込み処理が指示された場合に、画像メモリに記憶してある画像データを画像蓄積手段に退避してから割り込み処理に遷移し、割り込み処理から復帰するときは、画像蓄積手段に退避してある画像データを用いて前記第１のコピーモードの処理を再開するものである。
【００１６】
本発明に係る画像形成装置及び画像形成方法においては、第１のコピーモード（ダイレクトコピーモード）を実行中に割り込み処理が指示されると、割り込み処理に遷移する前に、画像メモリに記憶してある画像データを画像蓄積手段に退避するため、画像メモリの全ての領域を割り込み処理のために開放することが可能となる。また、割り込み処理から復帰するときは、当該割り込み処理に遷移する際（直前）に画像蓄積手段に退避しておいた画像データを用いて第１のコピーモードの処理を再開するため、第１のコピーモードで読み取った原稿の画像を再度読み直す必要がない。
【発明の効果】
【００１７】
本発明の画像形成装置及び画像形成方法によれば、ダイレクトコピーモードを実行中に割り込み処理が指示された場合でも、画像メモリの全ての領域を使用して割り込み処理を行うことができるため、生産性の低下や機能制限を招くことがない。また、割り込み処理から復帰するときは、割り込み処理に遷移する際に画像蓄積手段に退避しておいた画像データを用いて第１のコピーモードの処理を再開するため、原稿戻しを行う必要もない。
【発明を実施するための最良の形態】
【００１８】
以下、本発明の具体的な実施の形態について図面を参照しつつ詳細に説明する。
【００１９】
図１は本発明の実施形態に係る画像形成装置の構成例を示すブロック図である。図示のように、本実施形態の画像形成装置は、大きくは、操作パネル１と、コントローラ２と、画像入力手段としての画像入力部３と、画像出力手段としての画像出力部４とによって構成されている。
【００２０】
操作パネル１は、タッチパネルディスプレイ５と、スタートボタン６と、ストップボタン７と、パネル制御部８とを備えた構成となっている。
【００２１】
タッチパネルディスプレイ５は、例えば液晶表示ディスプレイの表示面にタッチパネルを貼り付けて形成されるもので、各種のメニュー画面、操作画面などの表示と、タッチパネルを用いたユーザからの情報入力や動作指示などを受け付けるものである。本実施形態においては、ユーザからの動作指示の１つとして、割り込み処理の指示がある。
【００２２】
スタートボタン６は、ユーザが処理の開始を指示するときに当該ユーザによって押下操作されるものである。ストップボタン７は、ユーザが処理の停止を指示するときに当該ユーザによって押圧操作されるものである。
【００２３】
パネル制御部８は、コントローラ２からの指示やスタートボタン６及びストップボタン７を用いたユーザの指示に基づいてタッチパネルディスプレイ５の動作を制御したり、タッチパネルやスタートボタン６、ストップボタン７を用いて入力された情報や指示をコントローラ２に転送したりするものである。
【００２４】
コントローラ２は、操作パネル部インタフェース９と、制御手段としてのＣＰＵ(Central Processing Unit)１０と、システムメモリ１１と、画像処理手段としての画像処理部１２と、画像蓄積手段としてのハードディスク（ＨＤＤ）１３と、画像メモリとしてのページメモリ１４と、画像入力部インタフェース１５と、画像出力部インタフェース１６とを備えた構成となっている。
【００２５】
操作パネル部インタフェース９は、操作パネル１とコントローラ２との間でデータや情報をやり取りするためのインタフェースである。ＣＰＵ１０は、画像形成装置全体の処理動作を統括的に制御するものである。システムメモリ１１は、ＳＤＲＡＭ(Synchronous Dynamic Random Access Memory)等を用いて構成されるものである。画像処理部１３は、画像データの圧縮、伸長、合成などの処理を行うものである。
【００２６】
ハードディスク１３は、画像入力部３から入力される画像データを蓄積するときに用いられるものである。ページメモリ１４は、画像入力部３から入力される画像データを一時的に記憶するために用いられるものである。画像入力部インタフェース１５は、コントローラ２と画像入力部３との間でデータをやり取りするためのインタフェースであり、画像出力部インタフェース１６は、コントローラ２と画像出力部４との間でデータをやり取りするためのインタフェースである。
【００２７】
画像入力部３は、原稿台１７と、自動原稿送り装置（ＡＤＦ）１８と、原稿センサ１９と、画像読取部２０と、入力制御部２１とを備えた構成となっている。
【００２８】
原稿台１７は、画像の読み取り対象となる原稿が置かれる透明なガラス板等によって形成されるものである。自動原稿送り装置１８は、原稿トレイにセットされた原稿を、原稿台１７上の画像読み取り位置を通過する搬送経路に沿って一枚ずつ搬送するものである。
【００２９】
原稿センサ１９は、原稿トレイ上や原稿台１７上でそれぞれ原稿の有無を検知したり、自動原稿送り装置１８による原稿搬送路の途中で原稿の有無を検知したりするものである。画像読取部２０は、自動原稿送り装置１８によって原稿トレイから搬送された原稿の画像や、ユーザによって原稿台１７にセットされた原稿の画像を光学的に読み取ることにより、当該原稿画像に対応する画像データを生成するものである。入力制御部２１は、画像入力部３からコントローラ２への画像データの入力を制御するものである。
【００３０】
画像出力部４は、給紙部２２と、用紙反転部２３と、印刷部２４と、排紙部２５と、出力制御部２６とを備えた構成となっている。
【００３１】
給紙部２２は、画像データの印刷出力に使用される用紙（記録媒体）を供給するものである。用紙反転部２３は、用紙の両面に画像データを印刷する、いわゆる両面印刷を行うときに、搬送中の用紙を表裏反転するものである。
【００３２】
印刷部２４は、給紙部２２から供給された用紙や、用紙反転部２３で表裏反転された用紙に画像データを印刷するものである。排紙部２５は、画像データの印刷を終えた用紙を排出トレイに排出するものである。出力制御部２６は、コントローラ２から画像出力部４への画像データの出力を制御するものである。
【００３３】
上記構成からなる画像形成装置は、原稿から読み取った画像データを用紙（記録媒体）に印刷出力する際のコピーモードとして、ダイレクトコピーモードと蓄積コピーモードをＣＰＵ１０で選択的に実行可能となっている。具体的には、例えば、操作パネル１のタッチパネルディスプレイ５を通して設定された機能に応じて、ＣＰＵ１０がダイレクトコピーモードと蓄積コピーモードの最適な方を選択し、画像形成装置のコピー動作を制御する構成となっている。
【００３４】
ダイレクトコピーモードで処理する場合は、まず、画像読取部２０で読み取った原稿の画像データを、入力制御部２１及び画像入力インタフェース１５との間のデータ通信により、画像入力部３からコントローラ２に入力する。次に、コントローラ２の内部で、画像データをページメモリ１４に記憶する。続いて、ページメモリ１４に所定量の画像データが記憶された時点で、ページメモリ１４内の画像データを、画像出力部インタフェース１６及び出力制御部２６との間のデータ通信により、コントローラ２から画像出力部４に出力（転送）し、この画像出力部４内で画像データを用紙に印刷出力する。
【００３５】
蓄積コピーモードで処理する場合は、まず、まず、画像読取部２０で読み取った原稿の画像データを、入力制御部２１及び画像入力インタフェース１５との間のデータ通信により、画像入力部３からコントローラ２に入力する。次に、コントローラ２の内部で、画像データをページメモリ１４に記憶する。続いて、ページメモリ１４内に１ページ分の画像データが記憶されたら、その都度、１ページ分の画像データを画像処理部１２で圧縮した後、ハードディスク１３に蓄積する。画像データの圧縮処理は、システムメモリ１１を用いて行われる。
【００３６】
その後、所要ページ分の圧縮画像データをハードディスク１３に蓄積したら、このハードディスク１３からページ単位で画像データを読み出して画像処理部１２で伸長する。画像データの伸長処理は、システムメモリ１１を用いて行われる。次いで、画像処理部１２で伸長した画像データを、画像出力部インタフェース１６及び出力制御部２６との間のデータ通信により、コントローラ２から画像出力部４に出力（転送）し、この画像出力部４内で画像データを用紙に印刷出力する。
【００３７】
図２はダイレクトコピーモードの実行中に割り込み処理が指示された場合の処理手順を示すフローチャートである。割り込み処理は、画像形成装置でコピーモードを実行中に、操作パネル１のタッチパネルディスプレイ５に設けられた割り込みボタン、又は操作パネル１にスタートボタン６やストップボタン７とともに設けられた割り込みボタン（不図示）をユーザが押下することにより指示されるものである。
【００３８】
まず、ダイレクトコピーモードを実行中に割り込み処理が指示されると、この割り込み指示を受けた時点で、ＣＰＵ１０は、ダイレクトコピーで用紙（記録媒体）に印刷出力すべき画像データがページメモリ１４に残っているかどうかを判断する（ステップＳ１，Ｓ２）。例えば、ダイレクトコピーモードでコピー部数が１０部で指定されている状況で、５部目をコピー処理しているときに割り込み処理の指示があった場合は、ページメモリ１４に記憶された画像データを用いて残りの５部をコピー処理する必要がある。したがって、この場合は、用紙に印刷出力すべき画像データがページメモリ１４に残っていると判断する。これに対して、コピー部数が１０部指定で、最後の１０部目をコピー処理しているときに割り込み処理の指示があった場合は、１０部目でコピー処理した用紙を排紙部２５で排出してからダイレクトコピーモードの処理を中断する。したがって、この場合は、用紙に印刷出力すべき画像データがページメモリ１４に残っていないと判断する。
【００３９】
次いで、ＣＰＵ１０は、上記ステップＳ２でページメモリ１４に画像データが残っていると判断した場合に、ダイレクトコピー用でページメモリ１４に記憶してある画像データを、画像入力インタフェース１５及び画像処理部１２を経由してハードディスク１３に退避する（ステップＳ３）。この場合、ページメモリ１４内の画像データは、画像処理部１２で圧縮されることなく、元のデータ量のままでハードディスク１４に蓄積される。これに対して、上記ステップＳ２でページメモリ１４に画像データが残っていないと判断した場合は、ステップＳ３の処理をパスする。その後、ＣＰＵ１０は、ダイレクトコピーモードの処理を中断して割り込み処理に遷移する（ステップＳ４）。
【００４０】
こうして割り込み処理に遷移した後は、操作パネル１を用いたユーザからの指示にしたがって、ダイレクトコピーモード又は蓄積コピーモードに基づくコピー処理（割り込みコピー）を行う。この場合、ページメモリ１４の記憶領域は割り込み処理のために全て開放される。このため、ページメモリ１４の全ての領域を使用して割り込み処理を行うことができる。したがって、生産性の低下や機能制限が発生しない。
【００４１】
その後、割り込み処理を終えると、画像形成装置は図３に示す処理手順にしたがって割り込み処理から復帰する。まず、ＣＰＵ１０は、ハードディスク１３に退避している画像データがあるかどうかを判断する（ステップＳ１１）。この場合、割り込み処理に遷移するのに先立って、上記ステップＳ３でハードディスク１３に画像データを退避した場合は画像データがあると判断し、退避しなかった場合は画像データがないと判断する。退避した画像データがないと判断した場合は、後述するステップＳ１５に移行する。
【００４２】
これに対して、ハードディスク１３に退避している画像データがあると判断すると、ＣＰＵ１０は、その画像データをハードディスク１３からページメモリ１４に戻してから画像出力部４に転送することにより、ダイレクトコピーモードの処理を再開する（ステップＳ１２，Ｓ１３）。この場合、ハードディスク１３には、元のデータ量のままで画像データを退避してあるため、この画像データを直接ページメモリ１４に読み出すことで、割り込み処理に遷移する前の状態が再現される。したがって、ダイレクトコピーモードの処理を再開するにあたって、割り込み処理に遷移する前にダイレクトコピーモードで読み取った原稿の画像を再度読み直す必要がない。このため、割り込み処理から復帰するときに、原稿戻しを行わなくても、ダイレクトコピーモードの処理を再開することができる。
【００４３】
次いで、ＣＰＵ１０は、ページメモリ１４に移した画像データに関してダイレクトコピーモードの処理が終了したかどうかを判定する（ステップＳ１４）。このステップＳ１４においては、例えば、ダイレクトコピーモードでコピー部数が１０部で指定され、その途中の５部目のコピー処理を終えた段階で割り込み処理に遷移し、そこから復帰してダイレクトコピーモードの処理を再開した場合は、残り５部のコピー処理を終えた時点でＹｅｓと判定する。
【００４４】
その後、ユーザの操作にしたがって次の原稿からコピー処理を継続する（ステップＳ１５）。
【００４５】
なお、上記実施形態においては、割り込み処理に遷移する前に、ページメモリ１４に記憶してある画像データを圧縮しないでハードディスク１３に退避し、割り込み処理から復帰するときに、ハードディスク１３に退避してある画像データをページメモリ１４に戻してから画像出力部４に転送することにより、ダイレクトコピーモードの処理を再開するものとしたが、本発明はこれに限定されるものではない。
【００４６】
例えば、他の処理形態として、割り込み処理に遷移する前に、ページメモリ１４に記憶してある画像データを画像処理部１２で圧縮してハードディスク１３に退避し、割り込み処理から復帰するときは、ハードディスク１３に退避してある画像データを画像処理部１２で伸長して画像出力部インターフェース１６に転送することにより、蓄積コピーモードとして割り込み前の残りの処理を再開するようにしてもよい。
【図面の簡単な説明】
【００４７】
【図１】本発明の実施形態に係る画像形成装置の構成例を示すブロック図である。
【図２】ダイレクトコピーモードの実行中に割り込み処理が指示された場合の処理手順を示すフローチャートである。
【図３】割り込み処理から復帰するときの処理手順を示すフローチャートである。
【符号の説明】
【００４８】
１…操作パネル、２…コントローラ、３…画像入力部、４…画像出力部、１０…ＣＰＵ、１３…ハードディスク、１４…ページメモリ、２０…画像読取部、２４…印刷部
【図１】
2007088823.tif 000003
【図２】
2007088823.tif 000004
【図３】
2007088823.tif 000005